(57)【要約】【課題】電源電圧のばらつきや初期水温の違いにより、抽出時のコーヒー温度が一定にならず、コーヒーの濃さや味にばらつきが出てしまうという課題がある。【解決手段】水容器１と、水を加熱するヒータ２と、トライアックを用いてヒータの通電量を位相制御するヒータ制御部３と、挽いたコーヒー粉を入れるフィルタ部４と、フィルタ部に熱水を通し抽出したコーヒーを受けるサーバー５と、機器を操作する操作部とを備え、フィルタ部には抽出するコーヒーの温度を検地する温度検知部６と前記操作部には少なくとも２段階以上コーヒーの味を選択することができる選択スイッチ９を設け、前記温度検知部で検知するコーヒーの温度が前記選択スイッチによる設定に対し、少なくとも１つの設定に対し９０℃以上、他方の設定に対し８０℃から８５℃になるようにヒータ通電量を制御する。【選択図】図１
2013233201.tif 000002
【特許請求の範囲】
【請求項１】
水容器と、水を加熱するヒータと、トライアックを用いてヒータの通電量を位相制御するヒータ制御部と、挽いたコーヒー粉を入れるフィルタ部と、フィルタ部に熱水を通し抽出したコーヒーを受けるサーバーと、機器を操作する操作部とを備え、フィルタ部には抽出するコーヒーの温度を検知する温度検知部と前記操作部には抽出するコーヒーを少なくとも２段階以上選択することができる選択スイッチを設け、前記温度検知部で検知するコーヒーの温度が前記選択スイッチによる設定に対し、少なくとも１つの設定に対し９０℃以上、他方の設定に対し８０℃から８５℃になるようにヒータ通電量を制御するコーヒーメーカー。
【請求項２】
操作部に設けた選択スイッチは、温度上昇と温度下降を選択するスイッチとし、コーヒーの抽出温度を連続的に変化させることを可能とした請求項１に記載のコーヒーメーカー。
【発明の詳細な説明】
【技術分野】
【０００１】
本発明は、コーヒーメーカーの温度制御方法に関するものである。
【背景技術】
【０００２】
図４は従来のコーヒーメーカーの構成を示す図である。従来、この種のコーヒーメーカーは図４に示すように、水容器１１と、水を加熱するヒータ１２と、トライアックを用いてヒータの通電量を位相制御するヒータ制御部１３と、挽いたコーヒー粉を入れるフィルタ部１４と、フィルタ部に熱水を通し抽出したコーヒーを受けるサーバー１５とで構成され、ヒータで加熱した熱水をコーヒー粉が入ったフィルタ部に通すことでコーヒーを抽出している（特許文献１参照）。
【０００３】
また、フィルタ部に通る熱水の流路を変えることで、濃度調節などの切り替え機能が付いたコーヒーメーカーもある。
【先行技術文献】
【特許文献】
【０００４】
【特許文献１】特表平１０−５０６３１６号公報
【発明の概要】
【発明が解決しようとする課題】
【０００５】
しかしながら、前記従来の構成では、電源電圧のばらつきや初期水温の違いにより、抽出時のコーヒー温度が一定にならず、コーヒーの濃さや味にばらつきが出てしまうという課題があった。
【０００６】
また、海外で使用する場合は電源電圧が２２０Ｖ地域や２４０Ｖ地域など様々であり、例えば２２０Ｖ地域向けの商品を２４０Ｖ地域で使用した場合は、同じ濃度調節設定においても出来上がりに差が出来てしまうという課題もあった。
【０００７】
さらに、ヒータのオン／オフをリレーによって制御している機器もあるが、細かな温度調節を行うためにはリレーの動作回数が増え、耐久性に課題があることや動作音が耳障りになる等の課題を有していた。
【０００８】
本発明は、電源電圧が変動しヒータの電力が変化した時や、水容器の初期水温が高い、もしくは低い場合においても、常にコーヒーの温度を一定に保つことができ、コーヒーの味を一定にするコーヒーメーカーを提供することを目的とする。
【課題を解決するための手段】
【０００９】
水容器と、水を加熱するヒータと、トライアックを用いてヒータの通電量を位相制御するヒータ制御部と、挽いたコーヒー粉を入れるフィルタ部と、フィルタ部に熱水を通し抽出したコーヒーを受けるサーバーと、機器を操作する操作部とを備え、フィルタ部には抽出するコーヒーの温度を検知する温度検知部と前記操作部には抽出するコーヒーの味を少なくとも２段階以上選択することができる選択スイッチを設け、前記温度検知部で検知するコーヒーの温度が前記選択スイッチによる設定に対し、少なくとも１つの設定に対し９０℃以上、他方の設定に対し８０℃から８５℃になるようにヒータ通電量を制御するものである。
【発明の効果】
【００１０】
本発明のコーヒーメーカーはフィルタ部に設けた温度検知部により、抽出時のコーヒー温度を検知し、予め設定された温度になるようにヒータの通電量を変化させることができ、電源電圧が変動しヒータの電力が変化した時や、水容器の初期水温が高い、もしくは低い場合においても、常にコーヒーの温度を一定に保つことができ、コーヒーの味を一定にすることができる。
【００１１】
また、好みによってコーヒー温度を変化させることができるため、例えば９０℃以上に設定した時は、酸味がありさっぱりとした味にすることができ、８５℃程度に設定した時は、甘みがありコクのある味にすることが可能となる。
【００１２】
また、ヒータのオン／オフ制御をトライアックで行うことで、細かな電力調節ができると共に、耳障りな動作音を低減させることもできる。
【００１３】
また、本発明の請求項２記載のコーヒーメーカーによれば、操作部に設けたコーヒーの味を選択するスイッチを、「温度上昇」「温度低下」とし、コーヒーの抽出温度を８０℃から９５℃程度まで連続的に変化させることができるようにするため、使用者の好みに応じたコーヒーの味をより細かく設定することが可能となる。
【００１４】
さらには、コーヒーの種類などによる違いにも対応し、コーヒーの種類に応じたお好みの温度に設定することが可能となる。
【図面の簡単な説明】
【００１５】
【図１】本発明の実施の形態１におけるコーヒーメーカーの構成を示す図
【図２】本発明の実施の形態１におけるコーヒーメーカーの操作表示部を示す図
【図３】本発明の実施の形態２におけるコーヒーメーカーの操作表示部を示す図
【図４】従来のコーヒーメーカーの構成を示す図
【発明を実施するための形態】
【００１６】
第１の発明は、水容器と、水を加熱するヒータと、トライアックを用いてヒータの通電量を位相制御するヒータ制御部と、挽いたコーヒー粉を入れるフィルタ部と、フィルタ部に熱水を通し抽出したコーヒーを受けるサーバーと、機器を操作する操作部とを備え、フィルタ部には抽出するコーヒーの温度を検知する温度検知部と前記操作部には抽出するコーヒーの味を少なくとも２段階以上選択することができる選択スイッチを設け、前記温度検知部で検知するコーヒーの温度が前記選択スイッチによる設定に対し、少なくとも１つの設定に対し９０℃以上、他方の設定に対し８０℃から８５℃になるようにヒータ通電量を制御するものである。
【００１７】
これによって、予め決められた温度になる様にヒータの通電量を制御するものであり、抽出時のコーヒー温度を検知し、予め設定された温度になるようにヒータの通電量を変化させることができるので、電源電圧が変動してヒータの電力が変化した時や、水容器の初期水温が高い、もしくは低い場合においても、常にコーヒーの温度を一定に保つことができ、コーヒーの味を一定にすることができる。
【００１８】
また、好みによってコーヒー温度を変化させることができるため、例えば９０℃以上に設定した時は、酸味がありさっぱりとした味にすることができ、８５℃程度に設定した時は、甘みがありコクのある味にすることが可能となる。
【００１９】
第２の発明は、特に、第１の発明の操作部に設けた選択スイッチは、温度上昇と温度下降を選択するスイッチとし、コーヒーの抽出温度を連続的に変化させることを可能としたものである。
【００２０】
これによって、使用者の好みに応じたコーヒーの味をより細かく設定することが可能となり、さらには、コーヒーの種類などによる違いにも対応し、コーヒーの種類に応じたお好みの温度に設定することが可能となる。
【００２１】
以下、本発明の実施の形態について図面を参照しながら説明する。なお、この実施の形態によって本発明が限定されるものではない。
【００２２】
（実施の形態１）
図１は、本発明の第１の実施の形態におけるコーヒーメーカーの構成を示す図である。
【００２３】
図１において、抽出用の水を入れる水容器１、水容器内の水を加熱するためのヒータ２、ヒータの通電量を制御するためにトライアック等の位相制御素子で構成されたヒータ制御部３、挽いたコーヒー粉を入れるためのペーパーフィルターや金属メッシュフィルターなどで構成されたフィルタ部４、抽出されたコーヒーを受けるサーバー５、フィルター部に設けた温度検知部６を備え、抽出されるコーヒー温度を検知し、その検知温度情報をヒータ制御部に伝える様に構成されている。
【００２４】
また、図２は本発明の第１の実施の形態におけるコーヒーメーカーの操作表示部を示す図である。図２において、操作部はコーヒー抽出を開始する開始スイッチ７、機器の動作を停止させる停止スイッチ８、コーヒーの味を選択することができる選択スイッチ９を備えている。
【００２５】
水容器１に水を入れ、フィルタ部４にペーパーフィルター等に入れたコーヒー粉を入れ、開始スイッチ７を押すと、ヒータ制御部３はヒータ２を導通させ加熱が開始される。
【００２６】
ヒータ２は水容器１下部に配置され、水容器の水が自然に流れ込むようになっており、ヒータ内で加熱される。
【００２７】
ヒータ２内で加熱され沸騰した水は、ヒータ２内で発生した蒸気によって上部へ押し上げられ、フィルタ部４内に流れ込み、フィルタ内のコーヒー粉にかかることでコーヒーを抽出し、フィルタ部下部に配置したサーバー５に自然落下しサーバー５内に貯めることができる。
【００２８】
操作部に設けたコーヒーの味を選択するスイッチは、例えば「さっぱり」「コク深い」など、好みに応じた選択をすることができ、「さっぱり」を選択した場合は、温度検知部の温度が９０℃、「コク深い」を選択した場合は８５℃になるように温度閾値を設けている。
【００２９】
「さっぱり」を選択している時、ヒータ制御部は温度検知部からの温度情報と温度閾値「９０℃」と比較し、温度情報が温度閾値より低い場合はヒータへの通電量を上げるようにトライアックの導通位相を変化させる。
【００３０】
逆に、温度情報が温度閾値より高い場合は、ヒータ通電量を下げるようにトライアックの導通位相を変化させるように動作する。
【００３１】
予め設定した温度閾値にコーヒー温度が追従するようにヒータ通電量を変化させるため電源電圧の違いや初期水温が違う場合でも、常にコーヒーの温度が一定になるように制御することができ、常に安定したコーヒーの味を実現させることが出来る。
【００３２】
（実施の形態２）
図３は、本発明の第２の実施の形態におけるコーヒーメーカーの操作表示部を示す図である。図３において、操作部はコーヒー抽出を開始する開始スイッチ７、機器の動作を停止させる停止スイッチ８、コーヒーの温度を選択するスイッチ１０を備えている。
【００３３】
また、本発明の請求項２に記載の発明によれば、操作部に設けたコーヒーの味を選択するスイッチを、「温度上昇」「温度低下」とし、コーヒーの抽出温度を８０℃から９５℃程度まで連続的に変化させることができるようにするため、使用者の好みに応じたコーヒーの味をより細かく設定することが可能となる。
【００３４】
さらには、コーヒーの種類などによる違いにも対応し、コーヒーの種類に応じたお好みの温度に設定することが可能となる。
【産業上の利用可能性】
【００３５】
以上のように、本発明にかかるコーヒーメーカーは、ヒータの加熱によって被加熱物の温度を一定に保つ必要のある調理機器においても有用である。
【符号の説明】
【００３６】
１、１１  水容器
２、１２  ヒータ
３、１３  ヒータ制御部
４、１４  フィルタ部
５、１５  サーバー
６  温度検知部
７  開始スイッチ
８  停止スイッチ
９  コーヒーの味を選択することができる選択スイッチ
１０  コーヒーの温度を選択するスイッチ
【図１】
2013233201.tif 000003
【図２】
2013233201.tif 000004
【図３】
2013233201.tif 000005
【図４】
2013233201.tif 000006